(57)【特許請求の範囲】
【請求項１】
少なくとも１つの誘電体層を具え、前記誘電体層の２つの側面において、キャパシタ電極を第１領域において互いに対面させて配置し、前記誘電体層の側面における前記第１領域の隣の少なくとも１つの第２領域において、互いに対面する第１及び第２の平面巻線を配置し、
前記誘電体層は第１及び第２の絶縁層の間に配置され、
前記第２領域において、前記第１及び第２の平面巻線によって発生された磁束を運ぶ低磁性コアが設けられ、且つ
前記低磁性コアは、前記誘電体層を貫通する部分を含まず、前記第１及び第２の絶縁層に配置された平面状低磁性コアからなる、
ことを特徴とするプリント回路ボード。
【請求項２】
前記第２領域において配置された前記第１及び第２の平面巻線が、誘導性および容量性の双方において働くことを特徴とする請求項１に記載のプリント回路ボード。
【請求項３】
前記第１及び第２の平面巻線が、一方向の向きを有することを特徴とする請求項１に記載のプリント回路ボード。
【請求項４】
前記第１及び第２の平面巻線が、反対方向の巻線方向を有することを特徴とする請求項１に記載のプリント回路ボード。
【請求項５】
前記誘電体層と前記第１又は第２の絶縁層との間に第３の絶縁層が設けられ、前記第１の平面巻線と対面する領域における前記第３の絶縁層の少なくとも一方の側面において、少なくとも１つの第３の平面巻線が、前記第１の平面巻線からＤＣ絶縁して設けられたことを特徴とする請求項１乃至４の何れか一項に記載のプリント回路ボード。
【請求項６】
低磁性材料を満たされたノッチを更に有することを特徴とする請求項１乃至５の何れか一項に記載のプリント回路ボード。
【請求項７】
抵抗性素子が埋設されていることを特徴とする請求項１乃至６の何れか一項に記載のプリント回路ボード。
【請求項８】
前記抵抗性素子は、前記第１領域において前記第１及び第２の絶縁層の少なくとも一方に設けられ、且つ前記低磁性コアと同じ材料から形成されていることを特徴とする請求項７に記載のプリント回路ボード。
【請求項９】
前記第１領域のシールドとして作用する低磁性層が設けられたことを特徴とする請求項１乃至７の何れか一項に記載のプリント回路ボード。
【請求項１０】
前記低磁性層は、前記第１領域において前記第１及び第２の絶縁層の少なくとも一方に設けられ、且つ前記低磁性コアと同じ材料から形成されていることを特徴とする請求項９に記載のプリント回路ボード。
【請求項１１】
半導体部品及び／又はＣＭＣキャパシタのような更なる電子部品が埋設されたことを特徴とする請求項１乃至１０の何れか一項に記載のプリント回路ボード。
【請求項１２】
種々のサブ領域が異なった機能を行うように構成された少なくとも１層の低磁性材料の層を設けたことを特徴とする請求項１乃至１１の何れか一項に記載のプリント回路ボード。
【発明の詳細な説明】
【０００１】
【発明の属する技術分野】
本発明は、プリント回路ボードに関する。
【０００２】
【従来の技術】
米国特許明細書第５９９０７７６号は、種々の内部プリント回路ボード層上に配置されている平面コイルおよびトランス巻線を有する多層プリント回路ボードを記載している。平面巻線を使用することによって、表面上に取り付けられたコイルおよびトランスのような誘導性回路素子がもはや必要でないため、薄いプリント回路ボードを形成することができる。米国特許明細書第５９９０７７６号は、さらに、前記プリント回路ボードを通過する低磁性コアを記載し、これは、前記平面コイルおよびトランス巻線の磁束を運ぶ。
【０００３】
【発明が解決しようとする課題】
本発明の目的は、すべてが薄い厚さを有するとともに費用効果的に製造することができる容量性および誘導性構成要素を具えるプリント回路ボードを提供することである。
【０００４】
【課題を解決するための手段】
前記目的は、少なくとも１つの誘電体層を具え、前記誘電体層の２つの側面において、キャパシタ電極を第１領域において互いに反対に配置し、前記第１領域の隣の少なくとも１つの第２領域において、２個の反対に配置された平面巻線を配置した多層プリント回路ボードによって達成される。
【０００５】
好適には成層によって製造されたこのプリント回路ボードにおいて、増強された誘電率を有し、キャパシタ誘電体として好適な材料で形成された誘電体層を、平面巻線が誘導性回路素子、ＬＣ回路素子（Ｌ：インダクタンス機能、Ｃ：キャパシタンス機能）、または、ＬＣＴ回路素子（Ｌ：インダクタンス機能；Ｃ：キャパシタンス機能；Ｔ：トランス機能）に関して生じる領域まで延長することができる。誘電体層は、前記プリント回路ボード全体を横切って延在してもよい。容量性回路素子は、誘導性回路素子を実現するために追加で使用される前記第２領域においても現れる。結果として、誘導性回路素子の巻線を誘電体層の側面において直接配置して、追加の層がこれらの巻線に関して必要なくなるため、プリント回路ボードの必要な層の数は減少する。誘導性および容量性回路素子の前記第２領域における集積は、前記プリント回路ボードの幅の減少も与える。製造プロセスは簡単になり、前記プリント回路ボードの製造中のエラー源は取り除かれる。さらに、本発明は、前記プリント回路ボードの改善されたＥＭＩ特性（電磁妨害）を与える。また、絶縁層および他の誘電体層を設けることもでき、第２領域は、回路必要条件に応じて複数の平面巻線を有してもよい。複数の第２領域を設けることもできる。
【０００６】
本発明の実施形態は、前記第２領域の平面巻線に関する実施形態のいくつかの変形例を有する。例えば、これらは、これらを前記誘電体層が整合するキャパシタ電極としても使用する場合、ＬＣ素子として働く。変形例の他の可能性は、巻線方向の変化である。
【０００７】
本発明の一実施形態は、前記第２領域の平面巻線の機能を、ＬＣＴ素子と、第３平面巻線と、必要なら、トランス巻線を形成する他の第３平面巻線とに拡張する特有の特徴を有する。本発明の実施形態は、前記プリント回路ボードのＥＭＩ特性を改善する磁性コア部分を有する。抵抗素子と、半導体構成要素と、ＣＭＣキャパシタとを、追加で、前記プリント回路ボードの内部に配置することができる。１つの層は、前記層のサブ領域が（例えば、スロットまたは穴によって）少なくとも部分的に互いに分離したような構造を有する低磁性材料の層によって、低磁性コア部分を遮蔽または形成するような種々の機能を行うことができる。
【０００８】
本発明の一実施形態は、独立した新規なアイデアとみなすこともできる、磁性構成要素の形成と、抵抗性構成要素の形成とに関する磁性材料の層の使用を有する。
【０００９】
本発明のこれらおよび他の態様は、以下に記載する実施形態の参照とともに明らかになる。
【００１０】
【発明の実施の形態】
図１における断面図において示す成層された多層プリント回路ボード１は、３つの絶縁層２ａ、２ｂおよび２ｃを有する。外側絶縁層２ａおよび２ｂと内側絶縁層２ｃとの間に、プリント回路ボード１の幅全体に渡って広がる誘電体層３ａおよび３ｂを配置する。本願の意味における誘電体層は、キャパシタにおける誘電体としての用途に好適な高い誘電率を有する層であることを意味する。プリント回路ボード１の第１領域において、複数のキャパシタ電極４ａ、４ｂ、５ａ、５ｂ、６ａ、６ｂ、７ａおよび７ｂを配置する。互いに対面する電極対４ａ／４ｂ、５ａ／５ｂ、６ａ／６ｂおよび７ａ／７ｂを、４つのキャパシタ４、５、６および７を形成するために使用する。電極対４ａ／４ｂおよび６ａ／６ｂを、誘電体層３ａにおいて並べて配置する。電極対５ａ／５ｂおよび７ａ／７ｂを、誘電体層３ｂにおいて並べて配置する。プリント回路ボード１の上側および下側は、例としていくつかを示すＳＭＤ構成要素８を有する回路構造を収容する。キャパシタ４、５、６および７と構成要素８を有する回路構造との間の電気的接続を、導電性材料によって内部をクラッドされた貫通孔、すなわち、ビア９ａ、９ｂ、９ｃおよび９ｄ、本実施形態においては、電極４ｂおよび５ｂに接続されているビア９ａと、電極４ａおよび５ａに接続されているビア９ｂと、電極６ａおよび７ａに接続されているビア９ｃと、電極６ｂおよび７ｂに接続されているビア９ｄとして設ける。キャパシタ４ないし７を、例えば、電源回路のコントローラ回路と集積し、または、ＥＭＩを減少するフィルタキャパシタとして使用する。
【００１１】
コイル１０を、プリント回路ボード１における前記第１領域の右そばにおいて位置する第２領域において収容する。コイル１０は、直列に配置された平面巻線１０ａ、１０ｂ、１０ｃおよび１０ｄを具え、これらを図２に示し、これらは、３つのらせん状巻線を有し、個々のビア（図示せず）によって、接点１０ａａを接点１０ｂａに電気的に接続し、接点１０ｂｂを接点１０ｃｂに電気的に接続し、接点１０ｃａを接点１０ｄａに電気的に接続する。巻線１０ａおよび１０ｂを誘電体層３ａにおいて配置する。巻線１０ｃおよび１０ｄを誘電体層３ｂにおいて配置する。誘電体層３ａおよび３ｂは、したがって、平面巻線１０ａおよび１０ｂ間、１０ｃおよび１０ｂ間に延在する。このようにして、例えば、変換器（電圧変換器）においてフィルタ（例えば、バンドパスフィルタ）の一部として、または、電源スイッチのない共振または擬似共振コンバータ（例えば、ブーストコンバータ、ダウンコンバータ）において使用することができる並列共振回路を開発する。
【００１２】
図３は、プリント回路ボード１の回路素子に関するキャリアとしても同時に使用される誘電性材料によって形成された１層３ａのみを設けた１層実施形態におけるプリント回路ボード１を示す。巻線１０ａおよび１０ｂと他の構成要素８とに対面する前記プリント回路ボードの各々上側または下側において配置された、キャパシタ電極対４ａおよび４ｂとキャパシタ電極対６ａおよび６ｂとを示す。平面巻線１０ａおよび１０ｂの平面図を、図４において示し、前記巻線を一方向に配置し、巻線電流を電流が流れるときに反時計方向に流すことができるようにする。
【００１３】
図５に示す実施形態の例において、プリント回路ボード１は、３つの層を有し、誘電体層３ａの上側は絶縁層２ａを収容し、誘電体層３ａの下側は絶縁層２ｂを収容する。キャパシタ電極対４ａおよび４ｂと、キャパシタ電極対６ａおよび６ｂと、平面巻線１０ａおよび１０ｂとを、外側絶縁層２ａおよび２ｂと内側誘電体層３ａとの間の図１に示すプリント回路ボード１の内側において配置する。構成要素８を、前記上側および下側と、したがって、絶縁層２ａおよび２ｂとにおいて配置する。
【００１４】
図６は、図１に示すプリント回路ボード１を、コイル１０のインダクタンスを増すのに使用される追加の磁性コア１１とともに示す。コア１１を、例えば、Ｅコアまたはポットコアとして配置する。エアギャップを設け、インダクタンスおよび磁束密度を調節してもよい。
【００１５】
図７は、ＬＣ素子１２をコイル１０の代わりに設けたプリント回路ボード１の変形例を示す。ＬＣ素子１２は、平面巻線１２ａ、１２ｂ、１２ｃおよび１２ｄを有し、これらの平面巻線の各々は、図８における一方向巻線と図９における反対方向の巻線として実施形態において示す３つのらせん状巻線を有する。図８において、すべての電流は反時計方向に流れ、図９において、電流は、巻線１２ａおよび１２ｃを通って反時計方向に流れ、巻線１２ｂおよび１２ｄを通って時計方向に流れる。巻線１２ａ、１２ｂ、１２ｃおよび１２ｄは、接点１２ａａ、１２ｂａ、１２ｃａおよび１２ｄａを有する。個々のビア（図示せず）によって、接点１２ａａを接点１２ｃａに電気的に接続し、接点１２ｂａを接点１２ｄａに電気的に接続する。巻線１２ａ、１２ｂ、１２ｃおよび１２ｄをプリント回路ボード１の他の回路構造に接続することを、好適には再びビアを経て、接点１２ａａ、１２ｂａ、１２ｃａおよび１２ｄａにおいて行う。
【００１６】
互いに対面する巻線１２ａおよび１２ｂと、１２ｃおよび１２ｄとは、これらの誘導効果を有するだけでなく、キャパシタ電極の機能も有し、層３ａ、３ｂは、それぞれ誘電体として作用する。
【００１７】
例えば、パワーコンバータにおけるＥＭＩを減少するための、集積されたプッシュプルキャパシタンスを有する同相リアクタンスコイルの使用、または、図６における実施形態において示すが、比較的より高い効果があるキャパシタンスを有する配列共振回路における使用を、図７および８において示す実施形態の用途として使用することができる。直列共振回路における使用も可能である。用途は、例えば、共振または擬似共振電源コンバータ用のバンドパスフィルタまたは発振回路、または、直列キャパシタのＤＣデカップリングキャパシタである。
【００１８】
図７および９に示す実施形態において、以下の用途が考えられる。例えば、パワーコンバータのＥＭＩを減少するための、集積されたキャパシタンスを有するプッシュプルフィルタと、（例えば、アップコンバータおよびダウンコンバータ用の）フィルタキャパシタとの組み合わせにおけるコンバータリアクタンスコイルと、図６に示す実施形態におけるようなものであるが、比較的より高い効果があるキャパシタンスを有する、並列共振スイッチング回路と、共振または擬似共振コンバータの発振回路のようなパワースイッチング回路に対する用途である。
【００１９】
図１０および１１に示すプリント回路ボード１の配置において、図８に示し、４つの巻線を各々有する２つの他の平面巻線１３ａおよび１３ｂを設ける。互いに対面する巻線１３ａおよび１３ｂを、他の絶縁層１４の上側および下側において配置し、直列に接続し、接点１３ａおよび１３ｂをビア（図示せず）によって電気的に接続する。巻線１３ａおよび１３ｂは、巻線１２ａ、１２ｂ、１２ｃおよび１２ｄとともに形成されたＬＣＴ素子のトランス構成要素に関する２次巻線として動作し、１次巻線としての機能を、前記回路に応じて巻線対１２ａ−１２ｃおよび／または１２ｂ−１２ｄによって行う。巻線１２ａ、１２ｂ、１２ｃ、１２ｄ、１３ａおよび１３ｂの中心領域を、磁性コア１１の領域が通り、巻線１２ａ、１２ｂ、１２ｃ、１２ｄ、１３ａおよび１３ｂを通過する磁束を導くのに使用される線上に配置する．巻線１２ａないし１２ｄは、図５におけるような同じ方向において通り、図６におけるような反対方向において通る前記巻線も、もちろん可能である。
【００２０】
図１０および１１に示すプリント回路ボード１の実施形態を、好適には共振または擬似共振コンバータにおいて使用してもよいが、直列共振回路、並列共振回路、および、直列および並列共振を有する共振回路を実現することもできる。他の用途は、プッシュプルフィルタまたは同相フィルタであり、これらにおいて、前記フィルタの減衰特性を、前記トランスの２次側に接続されたインピーダンスによって調節することができる。巻線１３ａおよび１３ｂを経て、高周波同相信号または高周波プッシュプル信号の検出または供給を行うこともでき、この信号伝送を、電源電圧を運ぶラインを経て行う。
【００２１】
図１２に示すプリント回路ボードの実施形態において、プリント回路ボード１によって供給した磁性コア１１の代わりに、２つの平面磁性コア部分１５ａおよび１５ｂを設ける。磁性コア材料として、商用フェライトプレート、プラスチック関連フェライト（フェロプラスト、フェライトポリマ混合物）およびＮｉＦｅ金属コーティング（μメタル、パーマロイ、ヴィトロバック）を使用することができる。２つのコア部分１５ａおよび１５ｂを、ボンド１６ａおよび１６ｂによって、巻線１２ａないし１２ｄ、１３ａおよび１３ｂと対面する前記プリント回路ボードの上側または下側において配置する。コア部分１５ａおよび１５ｂによって覆われた表面を選択し、磁束が巻線１２ａないし１２ｄ、１３ａおよび１３ｂのまわりに、それぞれの用途に十分な方法で導かれるようにする。図１３は、平面巻線１２ａ、１２ｂ、１２ｃ、１２ｄ、１３ａａおよび１３ｂの配置を示す。コア１１を使用するときのようにプリント回路ボード１を通過する穴を回避することによって、電源スイッチによる問題を低減することができる。さらに特に、１次側と２次側との間の許容しうるクリーページ経路を相当減らすことができる。
【００２２】
図１４における配置において、コア部分１５ａおよび１５ｂは、プリント回路ボード１において成層される。誘電体層３ａは、層２ａの代わりに絶縁層１７を収容し、コア部分１５ａを載せる。さらに、絶縁層１４において、絶縁層２ｃの代わりに絶縁層１８を置き、コア部分１５ｂを載せる。絶縁層１７において、他の絶縁層１９を置き、絶縁層１８において、他の絶縁層２０を置き、絶縁層１９および２０は、ここで、プリント回路ボード１の外側層を表す。この方法において、回路素子、さらに特に個々のＳＭＤ構成要素を、プリント回路ボード１の外側において、コア部分１５ａおよび１５ｂ上の領域においても形成することができるようになり、これを構成要素２１によって示し、すなわち、追加の空間がこれらの回路部分に関して形成される。誘電体層３ａおよび３ｂの下側および上側におけるキャパシタ電極４ａ、４ｂ、５ａ、５ｂ、６ａ、６ｂ、７ａおよび７ｂの配置を、図１ないし１３に示す実施形態にしたがって行う。
【００２３】
図１５は、図１４に示す実施形態の他の態様であり、追加の抵抗性素子をプリント回路ボード１に組み込み、これらの素子を、抵抗性ペーストの使用によって、または、積み重ねられた層（オメガプライ法）によって製造する。例えば、層１７において配置された抵抗性素子２２ａ、２２ｂおよび２２ｃを示す。接続ライン２３は、素子２２ａおよび２２ｂを相互接続し、さらに、ビア９ａに接続し、キャパシタ電極５ｂへの電気的接続が確立されるようにする。抵抗性素子２２を、接続ライン２４によって、ビア９ｃと、したがってキャパシタ電極７ａとに電気的に接続する。
【００２４】
図１６は、プリント回路ボード１の変形例を示し、このプリント回路ボード１において、図１５と同様に、２つの平面磁性コア部分を巻線１２ａ、１２ｂ、１２ｃ、１２ｄ、１３ａおよび１３ｂの上下に配置し、すなわち、プリント回路ボード１の上側において磁性コア部分２５ａを、プリント回路ボード１の下側において磁性コア部分２５ａを配置する。さらに、他の平面低磁性部分２６を磁性コア部分２５ａのそばに、他の平面低磁性部分２７を磁性コア部分２５ｂのそばに配置し、これらの低磁性部分は、単にシールドとして作用し、前記プリント回路ボードの上側のより大きい部分と、前記プリント回路ボードの下側のより大きい部分とがシールドされるようにする。この方法において、ＥＭＩ問題を効果的に減らすことができ、部分２５ａ、２５ｂ、２６および２７を、種々の構成要素をデカップルするスロットまたは穴を（例えばこれらを打ち抜くことによって）設けた低磁性材料の単一層によって形成してもよく、プリント回路ボード１の内側において設けてもよい。さらに、この実施形態の例において、絶縁層２０においてか、絶縁層２０および２１の間に設けられた半導体構成要素２８および２９を、各々、プリント回路ボード１に組み込む。極度に平坦で、したがって、成層することができる、いわゆるフリップチップタイプの半導体（構成要素２８）を、好適には使用する。他の可能性は、（より良好な熱放散を可能にする）ハウジングを必要とせず、電気的接触が機械的接触圧力によって与えられるため、はんだ付けする必要がない、前記上側および下側における電気的接点を有する構成要素（構成要素２９）である。望むなら、前記電気的接触を、接触スプリングの使用によって確実にすることができる。抵抗性素子２２ａ、２２ｂおよび２２ｃを、ここでは、前記プリント回路ボードの層１４と２１の間に配置する。
【００２５】
図１７は、図４におけるプリント回路ボードにおけるＬＣ構成要素１２と同様の構造を有する、すなわち、その平坦コイルを誘電体層３ａおよび３ｂの上下に配置したＬＣ構成要素３０を有するプリント回路ボード領域によって左に拡張した図１６のプリント回路ボード１を示す。ＬＣ構成要素３０の巻線３１ａ、３１ｂ、３１ｃおよび３１ｄは、巻線１２ａ、１２ｂ、１２ｃおよび１２ｄに対応する。ＬＣ構成要素３０上に伸び、平削りまたは打ち抜きによって確立されたノッチを有するＬＣ構成要素３０の近くにある領域３４および３５とＬＣ構成要素３０の中心領域３６とにおいて整合する平面磁性コア部分３２および３３を設け、この領域における磁性コア部分３２と３３との間の距離を減少するようにし、この例においては前記距離がゼロになるようにし、すなわち、磁性コア部分３２および３３が領域３４において接触するようにし、ＬＣ素子３０によって発生された磁束がＥコアまたはカップコアにおけるのと同様に良好に運ばれるようにする。前記ノッチを磁性コア部分３２および３３の材料で満たすことは、一方においてスプレーモールディングによって、または、（フェロプラスティングによって可能になる）成層中の熱変形によっても可能である。μメタルを使用する場合、前記ノッチを、前記μメタル層を曲げることによって満たすこともできる。
【００２６】
図１、３、５、６、７、１０、１２、１３、１４、１５、１６および１７において、前記プリント回路ボードおよびその構成要素を、明瞭さのため、一定の比率で示していないとみなすべきである。種々の実施形態によるプリント回路ボードの層と、構成要素とを、垂直方向において過度に広く示した。さらに、使用する平面巻線を、異なった方法において電気的に相互接続し、その結果として、いくつかの回路変形例がこの方法において生じる。
【００２７】
図１８は、成層された多層プリント回路ボードの実施形態の他の可能性を示す。例として示した回路構成要素は、トロイダルコアコイル１００と、抵抗性素子１０１および１０２と、平面コイル１０３とを具える。トロイダルコアコイル１００の一方の端子を、抵抗性素子１０１にストリップ導体１０４によって接続し、トロイダルコアコイル１００の他方の端子を、抵抗性素子１０２にストリップ導体１０５によって接続する。ストリップ導体１０５は、平面コイル１０３との接続も確立し、平面コイル１０３の他方の端子を、抵抗素子１０１および１０２にストリップ導体１０６によって接続する。コイル１０３は、平面トロイダルコア１０７および平面コイル平面コア１０８を有する。トロイダルコアコイル１００の巻線を、トロイダルコア１０７の上側において置かれた第１ライン区分１０９と、トロイダルコア１０７の下側において置かれた第２ライン区分１１０との形態におけるものとする。平面コイル１０３の３ターン巻線を１１１として示す。
【００２８】
図１８の種々の回路素子を、３つの層、すなわち、第１銅層（１０４，１０５，１１０，１１１）、第２銅層（１０６，１０９）および磁性材料の層（１０１，１０７，１０８）によって形成し、絶縁層を上記の層間に配置するが、明瞭さのために図示しない。したがって、トロイダルコア１０７と、コア１０８と、抵抗１０１および１０２とを同じ材料、すなわち、導電性磁性材料で形成し、例えば、μメタル、鉄粉コア材料、フェライト、プラスチックで固めたフェライトまたは鉄粉、または、エレクトロスチールを使用する。抵抗１０１を、曲がりくねったように配置し、この曲がりくねりの形状および長さに応じて、所望の抵抗を設定することができる。フェライトを前記磁性コア材料として選択した場合、きわめて高いオーミック抵抗を実現することができるが、銅の１００倍大きい抵抗値を有するミューメタルも、前記磁性コアおよび抵抗用の材料として好適である。磁性材料層を使用し、これらを磁性コアを実現するためだけでなく、抵抗を実現するためにも使用する場合、前記磁性材料のより有効な利用が達成される。
【００２９】
図１５に示す実施形態の例は、変化に対するオプションの多様性のみを示す。例えば、プリント回路ボードは、複数の磁気抵抗材料の層を明らかに具えてもよく、これらの層は、磁性素子および抵抗性素子を形成する。前記磁性材料を、例えば、磁性コアを有するセンサに使用してもよい。追加の容量性層を前記プリント回路ボードに組み込んでもよく、または、磁気的に使用することができない他の抵抗層を設けてもよい。磁性構成要素を形成するためのみに使用する磁性材料の他の層も可能である。図１５に示す実施形態の例に対応する構造を、エポキシ樹脂基板を有する慣例的なプリント回路ボードと、他の基板材料、さらに特にはセラミック（例えばＡｌ３Ｏ３）または半導体材料（シリコン）またはフレキシブルプリント回路ボード箔によるプリント回路ボードとの双方において使用してもよい。
【図面の簡単な説明】
【図１】  本発明によるプリント回路ボードの第１の例の断面図である。
【図２】  図１に示すプリント回路ボードにおいて使用する平面コイル巻線の平面図である。
【図３】  プリント回路ボードの１層実施形態の断面図である。
【図４】  図３に示すプリント回路ボードに関する巻線配置の平面図である。
【図５】  プリント回路ボードの３層実施形態の断面図である。
【図６】  コアを有するプリント回路ボードの断面図である。
【図７】  コアおよびＬＣ素子を有するプリント回路ボードの断面図である。
【図８】  図４に示すプリント回路ボードに関する第１の巻線配置の平面図である。
【図９】  図４に示すプリント回路ボードに関する第２の巻線配置の平面図である。
【図１０】  ＬＣＴ素子を有するプリント回路ボードの断面図である。
【図１１】  図７に示すプリント回路ボードに関する巻線配置の平面図である。
【図１２】  平面コア部分を有するプリント回路ボードの断面図である。
【図１３】  図９に示すプリント回路ボードに関する巻線配置の平面図である。
【図１４】  平面コア部分を埋設されたプリント回路ボードの断面図である。
【図１５】  追加の抵抗性素子を埋設されたプリント回路ボードの断面図である。
【図１６】  追加の半導体素子を埋設されたプリント回路ボードの断面図である。
【図１７】  追加のフィルタを有するプリント回路ボードの断面図である。
【図１８】  同じ材料の磁性コアおよび抵抗を有する回路レイアウトの一例を示す図である。
【符号の説明】
１  多層プリント回路ボード１
２ａ、２ｂ、２ｃ、１４  絶縁層
３ａ、３ｂ  誘電体層
４ａ、４ｂ、５ａ、５ｂ、６ａ、６ｂ、７ａ、７ｂ  キャパシタ電極
４、５、６、７  キャパシタ
８  ＳＭＤ構成要素
９ａ、９ｂ、９ｃ、９ｄ  ビア
１０  コイル
１０ａ、１０ｂ、１０ｃ、１０ｄ、１２ａ、１２ｂ、１２ｃ、１２ｄ、１３ａ、１３ｂ  平面巻線
１０ａａ、１０ａｂ、１０ａｂ、１０ｂｂ、１０ｃａ、１０ｃｂ、１０ｄａ、１０ｄｂ、１２ａａ、１２ａｂ、１２ａｃ、１２ａｄ  接点
１１  磁性コア
１２  ＬＣ素子
１５ａ、１５ｂ  平面磁性コア部分
１６ａ、１６ｂ  ボンド
【図１】
0004376493.tif 000002
【図２】
0004376493.tif 000003
【図３】
0004376493.tif 000004
【図４】
0004376493.tif 000005
【図５】
0004376493.tif 000006
【図６】
0004376493.tif 000007
【図７】
0004376493.tif 000008
【図８】
0004376493.tif 000009
【図９】
0004376493.tif 000010
【図１０】
0004376493.tif 000011
【図１１】
0004376493.tif 000012
【図１２】
0004376493.tif 000013
【図１３】
0004376493.tif 000014
【図１４】
0004376493.tif 000015
【図１５】
0004376493.tif 000016
【図１６】
0004376493.tif 000017
【図１７】
0004376493.tif 000018
【図１８】
0004376493.tif 000019